(57)【要約】  通信システム（５０）は、少なくとも第２の携帯通信ユニット（７８）と一緒にディスパッチ・モードで動作する第１の携帯通信ユニット（７２）と、第１および第２の携帯通信ユニットの間に通信リンクを提供するインフラストラクチャ・システム（５０Ａおよび５０Ｂ）とを含む。インフラストラクチャ・システムは、第１または第２の携帯通信ユニットのうちの少なくとも一方からの最新の音声ストリームを再帰的に記憶するためのメモリ（６１，６３）を含む。インフラストラクチャ・システムは、さらに、ディスパッチ・アプリケーション・プロセッサ（６２）を含む。通信システムは、さらに、受信信号の品質のレベルが、第２の携帯通信ユニットのところの所定のしきい値以下になったと判断した場合、または携帯通信ユニットの少なくとも一方のユーザから要求があった場合に、インフラストラクチャ・システムのところに記憶している最新のディスパッチ信号を検索するための手段を含む。
2007511176.tif 000002
【特許請求の範囲】
【請求項１】
通信システムに音声を再帰的に記憶するための方法であって、
送信加入者ユニット、受信加入者ユニット、および前記送信加入者ユニットと遠隔通信している通信スイッチのうちの少なくとも１つに音声を再帰的に記憶するステップと、
前記送信加入者ユニットが前に送信した音声を選択的に検索するステップと、を含む方法。
【請求項２】
前記送信加入者ユニットが前に送信した音声を検索する前記ステップが、前記受信加入者ユニットおよび前記送信加入者ユニットのうちの少なくとも一方から要求があった場合に、前記送信加入者ユニット、受信加入者ユニット、および前記通信スイッチのうちの少なくとも１つから音声を検索するステップを含む請求項１に記載の方法。
【請求項３】
音声を再帰的に記憶する前記ステップが、前記通信スイッチのところに最新のディスパッチ信号を記憶するステップを含む請求項１に記載の方法。
【請求項４】
音声を再帰的に記憶する前記ステップが、前記通信スイッチの一部を形成しているディスパッチ・アプリケーション・プロセッサのところに最新のディスパッチ信号を記憶するステップを含む請求項１に記載の方法。
【請求項５】
選択的に検索する前記ステップが、前記受信加入者ユニットのユーザから要求があった場合に、前記通信スイッチのところに記憶している最新のディスパッチ信号を検索するステップを含む請求項１に記載の方法。
【請求項６】
選択的に検索する前記ステップが、受信信号の品質レベルが、前記受信加入者ユニットのところの所定のしきい値以下になったと判断した場合に、前記通信スイッチのところに記憶している最新のディスパッチ信号を検索するステップを含む請求項１に記載の方法。
【請求項７】
音声を再帰的に記憶する前記方法が、所定の長さの最新の信号を記憶し、前記最新の信号を前記所定の長さの後続信号で上書きするステップを含む請求項１に記載の方法。
【請求項８】
選択的に検索する前記ステップが、前記受信加入者ユニットのユーザからの要求があった場合、および受信信号の品質レベルが、前記受信加入者ユニットのところの所定のしきい値以下になったと判断した場合のうちの少なくとも一方が発生した場合に、前記通信スイッチの一部を形成しているディスパッチ・アプリケーション・プロセッサのところに記憶している最新のディスパッチ信号を検索するステップを含む請求項１に記載の方法。
【請求項９】
音声を再帰的に記憶する前記ステップが、後続音声信号が前記記憶している音声上に上書きされるまで継続的に音声を記憶するステップを含む請求項１に記載の方法。
【請求項１０】
前記方法が、メモリ記憶スペースを最適化するために、前記音声をサンプリングし、また圧縮するステップをさらに含む請求項１に記載の方法。
【請求項１１】
携帯通信装置であって、
ディスパッチ無線として動作している送受信機と、
同送受信機と結合しているプロセッサと、を備え、前記プロセッサが、
前記携帯通信装置にサービスを提供しているインフラストラクチャ・システムのメモリから、最近送信した音声ストリームの再送信を要求するように、および、前記最近送信した音声ストリームの再送信を受信するように、
プログラムされる携帯通信装置。
【請求項１２】
前記プロセッサが、受信信号の品質レベルが、所定のしきい値以下になったと判断した場合に、前記再送信を自動的に要求するようにプログラムされる請求項１１に記載の携帯通信装置。
【請求項１３】
前記プロセッサが、ユーザからの要求があった場合に、前記再送信を要求するようにプログラムされる請求項１１に記載の携帯通信装置。
【発明の詳細な説明】
【技術分野】
【０００１】
本発明は、概して、音声の記憶に関し、特に、携帯通信無線、基地局または以降の検索のための通信スイッチのうちの１つまたは複数に音声を再帰的に記憶するためのシステムおよび方法に関する。
【背景技術】
【０００２】
電気通信システムは、ユーザが送信中または受信中の音声を劣化させる干渉および他の異常の発生の影響を受ける。半二重通信（すなわち、ディスパッチ）の場合には、音声が誤って伝えられても、喪失しても、または劣化してもフィードバックは行われない。それ故、重要な情報が喪失する恐れがあり、送信済みの情報を効果的に検索または再度生成するための何らの手段もない。
【０００３】
現在の携帯電話、ディスパッチ無線および他の電気通信装置は、デジタルまたはアナログ音声を記憶するために使用することができる十分な容量のメモリを内蔵している。さらに、基地局は、事実上無限の量のサンプリングした音声を記憶することができる。Ｈｅｉｎ他の米国特許第６，５８０，９０３号に記載されているように、加入者ユニットに音声を記憶する多数のデバイスが現在使用されている。例えば、いくつかのページング装置および携帯電話は、音声を記憶することができる（Ｂｅｎｎｅｔｔ他の米国特許第５，４５５，５７９号参照）。また、Ｕｒｓ他の米国特許第５，７１１，０１１号に記載されているように、ディスパッチ無線システムも、音声メール・サービスを提供している。
【特許文献１】米国特許第６，５８０，９０３号
【特許文献２】米国特許第５，４５５，５７９号
【特許文献３】米国特許第５，７１１，０１１号
【発明の開示】
【発明が解決しようとする課題】
【０００４】
これらの現在のシステムのどれもが、リアルタイムまたはほぼリアルタイムで音声またはデータを検索するために音声を記憶することはできない。
【課題を解決するための手段】
【０００５】
通信システムに音声を再帰的に記憶するための方法および装置を使用すれば、音声を劣化させる干渉および他の異常の発生の影響を受けた場合、ディスパッチ無線のユーザが経験する問題の多くを解決または軽減することができる。
【０００６】
本発明の一実施形態においては、通信システムに音声を再帰的に記憶するための方法は、送信加入者ユニット、受信加入者ユニット、および送信加入者ユニットと遠隔通信していて、送信加入者ユニットが前に送信した音声を選択的に検索する通信スイッチのうちの少なくとも１つに音声を再帰的に記憶するステップを含む。記憶した音声は、受信または送信加入者ユニットから要求があった場合に、受信または送信加入者ユニットおよび通信スイッチのうちの少なくとも１つから検索することができる。音声信号は、通信スイッチの一部を形成しているディスパッチ・アプリケーション・プロセッサのところに記憶することができるディスパッチ無線信号であってもよい。検索ステップは、受信加入者ユニットのユーザから要求があった場合、または受信信号の品質のレベルが、受信加入者ユニットのところの所定のしきい値以下になったと判断した場合に、通信スイッチのところに記憶している最新のディスパッチ信号を検索するステップを含むことができる。
【０００７】
本発明の第２の態様においては、通信システムは、少なくとも第２の携帯通信ユニット
および第１の携帯通信ユニットと少なくとも第２の携帯通信ユニットとの間に通信リンクを提供しているインフラストラクチャ・システムと一緒にディスパッチ・モードで動作している第１の携帯通信ユニットを含むことができる。インフラストラクチャ・システムは、第１の携帯通信ユニットおよび少なくとも第２の携帯通信ユニットのうちの少なくとも一方からの最新の音声ストリームを再帰的に記憶するためのメモリを含むことができる。インフラストラクチャ・システムは、さらに、ディスパッチ・アプリケーション・プロセッサを含むことができる。通信システムは、さらに、受信信号の品質のレベルが、第２の携帯通信ユニットのところの所定のしきい値以下になったと判断した場合、または第１の携帯通信ユニットおよび第２の携帯通信ユニットのうちの少なくとも一方のユーザから要求があった場合に、インフラストラクチャ・システムのところに記憶している最新のディスパッチ信号を検索するための手段を含むことができる。メモリは、記憶している音声上に後続音声ストリームが上書きされるまで、継続的に音声を記憶することができる。また、記憶している音声ストリームをサンプリングし、圧縮することにより、メモリを最適化することができる。
【０００８】
本発明の第３の態様においては、携帯通信装置は、ディスパッチ無線として動作しているトランシーバ、およびトランシーバと結合しているプロセッサを含むことができる。プロセッサは、携帯通信装置にサービスを提供しているインフラストラクチャ・システム内のメモリから、最近送信した音声ストリームの再送信を要求するように、また最近送信した音声ストリームの再送信を受信するようにプログラムすることができる。プロセッサは、また、受信信号の品質のレベルが所定のしきい値以下になったと判断した場合、またはユーザから要求があった場合に、再送信を自動的に要求するようにプログラムすることができる。
【発明を実施するための最良の形態】
【０００９】
図１を参照すると、この図は、携帯通信装置１０のブロック図である。デバイス１０は、例えば、従来の携帯電話、双方向幹線無線、携帯電話および携帯情報端末の組合せ、スマートホン、家庭用コードレス電話、衛星電話、Ｍｏｔｏｒｏｌａ社のｉＤＥＮ電話、または本発明により音声を再帰的に記憶するための十分なメモリを有する任意のデバイスを備えることができる。上記の例は、ディスパッチ音声モードで動作することができる通信装置向けのものであるが、相互接続音声モード、ピアツウピア・データ・モード、ピアツウピア音声モード、またはＣＤＭＡ、ＴＤＭＡ、ＧＳＭ、ＷＬＡＮのようないくつかのプロトコル・モードのような他のモードも、本明細書に記載し、特許請求を行ったコンセプトから利益を受けることができる。この特定の実施形態においては、携帯通信装置は、符号器３６と、送信機３８および情報を符号化し送信するためのアンテナ４０およびアンテナ４６と、受信機４４と、携帯通信装置に送信された情報を受信し復号するための復号器４２とを含むことができる。受信機４４および送信機３８は、トランシーバを備えることができる。デバイス１０は、さらに、ユーザ・インタフェース３４と、メモリ３２と、ディスプレイ３０とを含むことができる。ディスプレイは、グラフィカル・ユーザ・インタフェース・プログラムまたはドライバ１６と結合することができる。デバイス１０は、さらに、ディスプレイ３０と結合しているプロセッサまたはコントローラ１２と、符号器３６と、復号器４２と、ユーザ・インタフェース３４とを含むことができる。メモリ３２は、アドレス・メモリと、メッセージ・メモリと、キー用メモリと、データベース情報用メモリとを含むことができる。メモリ３２は、また、所定の量の現在受信した、または現在送信した音声を保持するために予約されている再帰型メモリを含むことができる。別の方法としては、再帰型メモリ１８は、コントローラ１２の一部を形成することもできるし、コントローラ１２に内蔵させることもできる。さらに、デバイス１０は、コントローラ１２の一部を形成することができる信号品質測定装置１４を含むことができる。所定のしきい値は、記憶している音声信号を再送信する必要があるかどうかを判断するように設定することができる。信号品質測定装置１４は、受信無線強度表示またはビット誤り率のよう
な信号品質の任意の測定値を提供することができる。
【００１０】
動作上、本発明による実施形態は、ユーザの要求があった場合、または他の所定のイベントが発生した場合、再生できるようにサンプリングした音声のセグメントを記憶することができる。通信リンク内のユーザの電気通信装置または他のデバイスは、音声ストリームを再帰的に記憶することができる。エラー、異常またはユーザの要求を検出した場合には、音声の前のストリームを再生することができる。
【００１１】
図２を参照すると、この図は、携帯通信装置５２と、通信タワーまたはアンテナ５４と、強化型トランシーバ・ベース・システム（ＥＴＢＳ）５６と、デジタル・アクセス・クロスコネクト（ＤＡＣ）５８と、メトロ・パケット・スイッチ６０と、ディスパッチ・アプリケーション・プロセッサ（ＤＡＰ）６２と、多パケット・データ・アプリケーション（ＡＰＤ）６４とを含む典型的なＭｏｔｏｒｏｌａ社のｉＤＥＮ（登録商標）通信システム５０を示す。もちろん、システム５０は、ベース・サイト・コントローラ（ＢＳＣ）、移動交換局（ＭＳＣ）、および相互接続（またはセルラー）サービスおよび他の管理ネットワーク動作を可能にする運用保守センタ（Ｏ＆ＭＣ）のような他の構成要素（図示せず）を含むこともできる。
【００１２】
動作上、電話機の形をしている携帯通信装置５２は、通信システム５０から音声を受信する（および送信する）。この音声は、電話機に送信して、メモリおよび電話機の設定に従って再帰的に記憶することができる。受信した音声は、ユーザが要求した場合、または最低の品質レベル以下になったことを検出した場合、再生することができる。次の音声ストリームにより上書きされるまで、音声に継続的にアクセスすることができる。記憶している音声の量および品質は電話機の設定および使用できるメモリにより決まる。さらに、本発明を最適化するためにサンプリングおよび圧縮技術を使用することができる。再帰的に記憶した音声に記憶するためのメモリ位置は、送信電話機、インフラストラクチャ・システムまたは受信電話機のところに維持することができる。
【００１３】
再度図２を参照すると、ＤＡＰ６２またはスイッチ６０は、加入者または他のシステムから音声を受信する。この音声は、メモリ、電話機モード（ディスパッチまたは相互接続）およびキャリア構成の決定により、ＤＡＰ６２またはスイッチ６０（各メモリ６１および６３のところの）に再帰的に記憶することができる。図３を参照すると、タワー７４または７６（送信側または受信側）上のＤＡＰまたは各システム（５０Ａまたは５０Ｂ）のスイッチは、音声ストリームを記憶するために使用することができる。この場合も、携帯通信装置（７２または７８）のユーザは、システム（５０Ａまたは５０Ｂ）に送信するメッセージにより、音声の再生を要求することができる。必要に応じて、システム５０Ａまたは５０Ｂ上のアルゴリズムは、音声を記憶している場所を判断し、通常の無線の使用中にあるセルから他のセルに移動した場合、音声の転送を追跡することができる。
【００１４】
図４を参照すると、通信システムに音声を再帰的に記憶するための方法１００を示す流れ図は、送信加入者ユニット、受信加入者ユニット、および送信加入者ユニット（ＤＡＰまたはＭＰＳなど）と遠隔通信していて、ステップ１０８において送信加入者ユニットが前に送信した音声を選択的に検索する通信スイッチのうちの少なくとも１つに再帰的に音声を記憶するステップ１０２を含むことができる。この検索ステップは、送信（または受信）加入者ユニットおよび通信スイッチのうちの少なくとも１つから受信（または送信）加入者ユニットの要求があった場合に実行することができる。音声信号は、オプションとしてのステップ１０４に示すように、通信スイッチの一部を形成しているディスパッチ・アプリケーション・プロセッサのところに記憶することができるディスパッチ無線信号であってもよい。方法１００は、必要に応じて、記憶している音声が後続音声信号により上書きされるまで継続的に音声を記憶するステップ１０６を含むことができる。検索ステッ
プは、受信または送信加入者ユニットのユーザが要求した場合、または受信信号の品質レベルが、受信加入者ユニットのところの所定のしきい値以下になったと判断した場合には、通信スイッチのところに記憶している最新のディスパッチ信号を検索するオプションとしてのステップ１１０を含むことができる。この方法１００は、さらに、使用するメモリ記憶スペースを最適化するために、音声をサンプリングし、圧縮するオプションとしてのステップ１１２を含むことができる。
【００１５】
上記説明を読めば、本発明による実施形態は、ハードウェア、ソフトウェアまたはハードウェアおよびソフトウェアの組合せで実行することができることを理解することができるだろう。本発明による通信装置でのセキュアな通信のための方法およびシステムは、１つのコンピュータ・システムまたはプロセッサで集中的に実行することもできるし、またはいくつかの相互接続しているコンピュータ・システムまたはプロセッサ（マイクロプロセッサおよびＤＳＰなど）を横切って、いくつかの要素が分散している分散方式で実行することもできる。任意のタイプのコンピュータ・システムまたは本明細書に記載した方法を実行することができる他の装置が適している。ハードウェアおよびソフトウェアの通常の組合せは、ロードされ実行した場合に本明細書に記載した方法を実行するようにコンピュータ・システムを制御するコンピュータ・プログラムを含む汎用コンピュータ・システムであってもよい。
【００１６】
さらに、上記説明は単に例示としてのものであって、添付の特許請求の範囲の記載を除いて、如何なる方法でも本発明を制限するものではない。
【図面の簡単な説明】
【００１７】
【図１】本発明による再帰型メモリを使用する携帯通信装置のブロック図。
【図２】本発明による再帰型音声記憶装置を使用する通信システムのブロック図。
【図３】本発明による２つの携帯通信装置間のディスパッチ通信。
【図４】本発明による通信システムに音声を再帰的に記憶するための方法を示す流れ図。
【図１】
2007511176.tif 000003
【図２】
2007511176.tif 000004
【図３】
2007511176.tif 000005
【図４】
2007511176.tif 000006
【国際調査報告】
2007511176.tif 000007